(57)【特許請求の範囲】
【請求項１】
被検者の複数の被検部位が接触可能に本体に配置された複数の接触部と、
前記複数の接触部に接触される前記被検部位の生体測定出力をそれぞれ取得する複数の生体センサと、
前記複数の接触部の温度をそれぞれ検出する複数の温度検出部と、
前記複数の接触部の全てが前記複数の被検部位のそれぞれにより接触された状態で、前記複数の温度検出部からそれぞれ得られる前記温度及び前記複数の生体センサからそれぞれ得られる前記生体測定出力に基づいて生体情報を測定する制御部と
を備える測定装置。
【請求項２】
前記制御部は、前記複数の温度検出部からそれぞれ得られる前記温度に基づいて前記複数の生体センサのいずれか１つを選択し、該選択した生体センサから得られる前記生体測定出力に基づいて前記生体情報を測定する、請求項１に記載の測定装置。
【請求項３】
表示部をさらに備え、
前記制御部は、前記測定した生体情報を前記表示部に表示する、請求項１又は請求項２に記載の測定装置。
【請求項４】
表示部をさらに備え、
前記制御部は、前記複数の生体センサからそれぞれ得られる前記生体測定出力に基づいて複数の生体情報を測定すると共に、該複数の生体情報を前記表示部に表示する、請求項１又は請求項２に記載の測定装置。
【請求項５】
前記複数の接触部は、被検者が前記本体を片手で把持したときに前記被検者の複数の異なる指がそれぞれ接触する位置に分離して配置される、請求項１乃至請求項４のいずれか一項に記載の測定装置。
【請求項６】
前記複数の接触部は、被検者が前記本体を両手で把持したときに前記被検者の異なる手の指がそれぞれ接触する位置に分離して配置される、請求項１乃至請求項４のいずれか一項に記載の測定装置。
【請求項７】
表示部をさらに備え、
前記制御部は、前記複数の生体センサからそれぞれ得られる前記生体測定出力に基づいて複数の生体情報を測定し、前記複数の生体情報を比較した結果を前記表示部に表示する、請求項１又は請求項２に記載の測定装置。
【請求項８】
表示部と、
前記複数の接触部それぞれの近傍に配置され、被検者の被検部位の接触を検知する複数の接触検知センサとをさらに備え、
前記制御部は、前記接触部が配置された位置及び前記接触検知センサからの出力に基づいて、前記表示部に画像を表示する、請求項１又は請求項２に記載の測定装置。
【請求項９】
被検者の２つの被検部位が接触可能に本体に配置された２つの接触部と、
前記２つの接触部に接触される前記被検部位の生体測定出力をそれぞれ取得する２つの生体センサと、
前記２つの接触部の温度をそれぞれ検出する２つの温度検出部と、
前記２つの温度検出部からそれぞれ得られる前記温度及び前記２つの生体センサからそれぞれ得られる前記生体測定出力に基づいて生体情報を測定する制御部と
を備える測定装置。
【請求項１０】
前記生体情報は、血流に関する情報を含む、請求項１乃至請求項９のいずれか一項に記載の測定装置。
【請求項１１】
複数の接触部の全てが複数の被検部位のそれぞれに接触された状態で、前記複数の被検部位から、生体センサにより複数の生体測定出力を取得する取得ステップと、
前記複数の接触部の全てが前記複数の被検部位のそれぞれに接触された状態で、前記複数の接触部の温度を検出する温度検出ステップと、
前記温度検出ステップにおいて得られる前記温度及び前記複数の生体センサから得られる前記生体測定出力に基づいて生体情報を測定する測定ステップと
を含む測定方法。
【請求項１２】
２つの接触部に接触される２つの被検部位から、生体センサにより２つの生体測定出力を取得する取得ステップと、
前記２つの接触部の温度を検出する温度検出ステップと、
前記温度検出ステップにおいて得られる前記温度及び前記２つの生体センサから得られる前記生体測定出力に基づいて生体情報を測定する測定ステップと
を含む測定方法。
【発明の詳細な説明】
【技術分野】
【０００１】
本発明は、測定装置及び測定方法に関する。
【背景技術】
【０００２】
従来、被検者の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【先行技術文献】
【特許文献】
【０００３】
【特許文献１】実公平３−２１２０８号公報
【発明の概要】
【発明が解決しようとする課題】
【０００４】
しかしながら、生体情報の測定結果は、被検部位から測定装置を押さえる圧力によって変化しやすい。生体情報の測定結果の誤差が許容できる範囲を超える場合、被検者は、生体情報を測定しなおす必要があり、煩わしさを感じる場合がある。
【０００５】
かかる事情に鑑みてなされた本発明の目的は、改善された測定装置及び測定方法を提供することにある。
【課題を解決するための手段】
【０００８】
上記目的を達成する本発明に係る測定装置は、
被検者の複数の被検部位が接触可能に本体に配置された複数の接触部と、
前記複数の接触部に接触される前記被検部位の生体測定出力をそれぞれ取得する複数の生体センサと、
前記複数の接触部の温度をそれぞれ検出する複数の温度検出部と、
前記複数の温度検出部からそれぞれ得られる前記温度及び前記複数の生体センサからそれぞれ得られる前記生体測定出力に基づいて生体情報を測定する制御部とを備える。
【００１７】
上述したように本発明の解決手段を装置として説明してきたが、本発明はこれらに実質的に相当する方法としても実現し得るものであり、本発明の範囲にはこれらも包含されるものと理解されたい。
【００１８】
例えば、本発明に係る測定方法は、
複数の接触部に接触される複数の被検部位から、生体センサにより複数の生体測定出力を取得する取得ステップと、
前記複数の接触部の温度を検出する温度検出ステップと、
前記温度検出ステップにおいて得られる前記温度及び前記複数の生体センサから得られる前記生体測定出力に基づいて生体情報を測定する測定ステップと
を含む。
【発明の効果】
【００１９】
上記のように構成された本発明によれば、改善された測定装置及び測定方法を提供できる。
【図面の簡単な説明】
【００２０】
【図１】本発明の一実施の形態に係る測定装置の概略構成を示す外観斜視図である。
【図２】図１の測定装置を被検者が把持した状態を示す図である
【図３】図１の測定装置の概略構成を示す機能ブロック図である。
【図４】図１の制御部が行う処理の一例を示すフローチャートである。
【図５】測定装置における接触部の配置の例を示す図である。
【発明を実施するための形態】
【００２１】
以下、本発明の一実施の形態について、図面を参照して詳細に説明する。
【００２２】
図１は、本発明の一実施の形態に係る測定装置の概略構成を示す外観斜視図である。測定装置１０は、被検者の生体情報を測定する専用の測定装置であってもよく、携帯電話機等の電子機器を本実施の形態に係る測定装置１０として使用したものであってもよい。測定装置１０は、携帯電話機に限られず、例えば、携帯型ミュージックプレイヤ、ノートパソコン、腕時計、タブレット端末、ゲーム機などの多岐にわたる任意の電子機器においても実現できる。
【００２３】
本実施の形態に係る測定装置１０は、外観形状が概略長方形状を成す本体３０を備える。本体３０には、表面３０ａ側に入力部１９及びパネル２０が配置されており、パネル２０の下側に図１にパネル２０の一部を切り欠いて示すように、表示部１８が保持されている。
【００２４】
パネル２０は、接触を検出するタッチパネル、または表示部１８を保護するカバーパネル等からなり、例えばガラス、又はアクリル等の合成樹脂により形成される。パネル２０は、例えば長方形状である。パネル２０は、平板であってもよいし、表面３０ａが滑らかに傾斜する曲面パネルであってもよい。パネル２０は、タッチパネルである場合、被検者の指、ペン、又はスタイラスペン等の接触を検出する。タッチパネルの検出方式は、静電容量方式、抵抗膜方式、表面弾性波方式（又は超音波方式）、赤外線方式、電磁誘導方式、及び荷重検出方式等の任意の方式を用いることができる。本実施の形態では、説明の便宜上、パネル２０は、タッチパネルとする。
【００２５】
本実施の形態に係る測定装置１０は、本体３０の一方の長辺である側面３０ｂ側に、後述する第１の測定部の一部である接触部１５ｂを備え、本体３０の他方の長辺である側面３０ｃ側に、測定装置１０を表面３０ａから見たときに接触部１５ｂと左右対称となる位置に、第２の測定部の一部である接触部１５ｃを備える。接触部１５ｂ及び１５ｃは、被検者が生体情報を測定するために、指等の被検部位を接触させる部分である。
【００２６】
入力部１９は、被検者からの操作入力を受け付けるものであり、例えば、操作ボタン（操作キー）から構成される。パネル２０も表示部１８に表示されるソフトキー等への被検者からの接触を検出することにより、被検者からの操作入力を受け付けることができる。
【００２７】
測定装置１０は、被検者により把持された状態で生体情報の測定を行う。図２は、図１の測定装置１０を被検者が右手で把持した状態を示す図である。この場合、例えば図２に示すように、右手の人差し指の腹の部分が側面３０ｂの接触部１５ｂに接触し、右手の親指の腹の部分が側面３０ｃの接触部１５ｃに接触する。測定装置１０は、図２のように２本の指がそれぞれ異なる接触部１５ｂ及び１５ｃに押し当てられた状態において、生体情報を測定する。生体情報は、測定装置１０が備える生体センサを使用して測定可能な任意の生体情報とすることができる。本実施の形態においては、測定装置１０は、一例として、血流に関する情報である被検者の血流量を測定するものとして、以下説明を行う。
【００２８】
図３は、図１の測定装置１０の概略構成を示す機能ブロック図である。図３に示すように、測定装置１０は、第１の測定部１１ｂと、第２の測定部１１ｃと、記憶部１６と、制御部１７と、表示部１８と、入力部１９とを備える。第１の測定部１１ｂは、圧力検出部１２ｂと、温度検出部１３ｂと、生体センサ１４ｂと、接触部１５ｂとを備える。第２の測定部１１ｃは、圧力検出部１２ｃと、温度検出部１３ｃと、生体センサ１４ｃと、接触部１５ｃとを備える。圧力検出部１２ｂ及び１２ｃ、温度検出部１３ｂ及び１３ｃ、生体センサ１４ｂ及び１４ｃ、並びに接触部１５ｂ及び１５ｃは、それぞれ同一の機能を有する。生体センサ１４ｂは、レーザ光源２１ｂと受光部２２ｂとを有し、生体センサ１４ｃは、レーザ光源２１ｃと受光部２２ｃとを有する。生体センサ１４ｂと１４ｃとは、例えば同種の生体センサである。第１の測定部１１ｂの接触部１５ｂは、本体３０の側面３０ｂに配置され、第２の測定部１１ｃの接触部１５ｃは、本体３０の側面３０ｃに配置される。以下、各機能部が第１の測定部１１ｂ又は第２の測定部１１ｃのいずれに含まれるかを区別しない場合には、各機能部を、単に圧力検出部１２、温度検出部１３、生体センサ１４、接触部１５、レーザ光源２１及び受光部２２と示す。
【００２９】
圧力検出部１２は、対応する接触部１５にそれぞれ作用する被検部位の接触圧力を検出する。圧力検出部１２は、例えば圧電素子により構成される。圧力検出部１２は、制御部１７に接続されており、検出した接触圧力を圧力信号として制御部１７に送信する。従って、圧力検出部１２は、接触部１５に被検部位が接触している場合、被検部位から接触部１５に作用する接触圧力を検出し、検出した接触圧力を圧力信号として制御部１７に送信する。被検者が図２のように測定装置１０を把持した場合、第１の測定部１１ｂの圧力検出部１２ｂは、右手の人差し指から接触部１５ｂに作用する接触圧力を検出し、第２の測定部１１ｃの圧力検出部１２ｃは、右手の親指から接触部１５ｃに作用する接触圧力を検出する。
【００３０】
温度検出部１３は、対応する接触部１５の温度を検出する。温度検出部１３は、例えば熱電対、サーミスタ、バイメタル等の周知の温度センサにより構成される。温度検出部１３は、制御部１７に接続されており、検出した温度を温度信号として制御部１７に送信する。従って、温度検出部１３は、接触部１５に被検部位が接触している場合、被検部位の接触に基づく接触部１５の温度を検出し、検出した信号を温度信号として制御部１７に送信する。被検者が図２のように測定装置１０を把持した場合、第１の測定部１１ｂの温度検出部１３ｂは、右手の人差し指の接触に基づく接触部１５ｂの温度を検出し、第２の測定部１１ｃの温度検出部１３ｃは、右手の親指の接触に基づく接触部１５ｃの温度を検出する。
【００３１】
生体センサ１４は、接触部１５に接触する被検部位から生体測定出力を取得する。被検者が図２のように測定装置１０を把持した場合、第１の測定部１１ｂの生体センサ１４ｂは、右手の人差し指から生体測定出力を取得し、第２の測定部１１ｃの生体センサ１４ｃは、右手の親指から生体測定出力を取得する。
【００３２】
レーザ光源２１は、制御部１７の制御に基づいてレーザ光を射出する。レーザ光源２１は、例えば、血液中に含まれる所定の成分を検出可能な波長のレーザ光を、測定光として被検部位に照射するもので、例えばＬＤ（レーザダイオード：Laser Diode）により構成される。
【００３３】
受光部２２は、生体測定出力として、被検部位からの測定光の散乱光を受光する。受光部２２は、例えば、ＰＤ（フォトダイオード：Photo Diode）により構成される。生体センサ１４は、受光部２２において受光した散乱光の光電変換信号を制御部１７に送信する。
【００３４】
接触部１５は、上述のように、被検者が生体情報を測定するために、指等の被検部位を接触させる部分である。接触部１５は、例えば、板状の部材により構成できる。接触部１５は、少なくとも測定光及び接触する被検部位からの散乱光に対して透明な部材により構成してもよい。
【００３５】
記憶部１６は、半導体メモリ又は磁気メモリ等で構成することができ、各種情報や測定装置１０を動作させるためのプログラム等を記憶するとともに、ワークメモリとしても機能する。記憶部１６は、例えば、測定装置１０が測定した血流量を、履歴として記憶してもよい。
【００３６】
制御部１７は、測定装置１０の各機能ブロックをはじめとして、測定装置１０の全体を制御及び管理するプロセッサである。制御部１７は、制御手順を規定したプログラムを実行するＣＰＵ（Central Processing Unit）等のプロセッサで構成され、かかるプログラムは、例えば記憶部１６又は外部の記憶媒体等に格納される。
【００３７】
制御部１７は、レーザ光源２１ｂ及び２１ｃから第１及び第２の被検部位にレーザ光を照射させる。受光部２２ｂ及び２２ｃは、第１及び第２の被検部位からの散乱光を受光することにより、生体測定出力を取得する。制御部１７は、生体センサ１４による生体測定出力の取得が終了したか否かを判定する。制御部１７は、例えば、生体センサ１４が生体測定出力の取得を開始してから、所定時間経過後に、生体測定出力の取得が終了したと判断してもよい。制御部１７は、例えば、生体センサ１４が、生体情報を測定するために十分な生体測定出力を取得したとき、生体測定出力の取得が終了したと判断してもよい。
【００３８】
制御部１７は、複数の圧力検出部１２ｂ及び１２ｃ、複数の温度検出部１３ｂ及び１３ｃ、並びに受光部２２の出力（生体情報出力）に基づいて、生体情報を測定する。例えば、制御部１７は、複数の圧力検出部１２ｂ及び１２ｃからそれぞれ得られる接触圧力及び複数の温度検出部１３ｂ及び１３ｃからそれぞれ得られる温度に基づいて、複数の生体センサ１４ｂ又は１４ｃのいずれか一方を選択する。
【００３９】
ここで、複数の圧力検出部１２ｂ及び１２ｃからそれぞれ得られる接触圧力に基づく生体センサ１４の選択について説明する。例えば、被検者が接触部１５ｂ及び１５ｃを押さえる接触圧力、すなわち複数の圧力検出部１２ｂ及び１２ｃからそれぞれ得られる接触圧力が異なる場合、生体測定出力に基づいて測定される生体情報の測定精度も異なることが想定される。制御部１７は、圧力検出部１２ｂ及び１２ｃから得られる接触圧力が、血流量の測定結果の誤差が所定の範囲内に収まる範囲（許容範囲）内であるか否かを判断する。
【００４０】
制御部１７は、圧力検出部１２ｂ及び１２ｃから得られる接触圧力のうち、一方が許容範囲内であり、他方が許容範囲外である場合、許容範囲内の接触圧力を検出した圧力検出部１２ｂ又は１２ｃに対応付けられた生体センサ１４ｂ又は１４ｃを選択する。制御部１７は、圧力検出部１２ｂ及び１２ｃから得られる接触圧力が、双方とも許容範囲内である場合、生体情報の測定誤差がより小さくなる接触圧力を示す圧力検出部１２ｂ又は１２ｃを決定し、決定した圧力検出部１２ｂ又は１２ｃに対応付けられた生体センサ１４ｂ又は１４ｃを選択する。制御部１７は、圧力検出部１２ｂ及び１２ｃから得られる接触圧力が、双方とも許容範囲外である場合、許容範囲により近い接触圧力を示す圧力検出部１２ｂ又は１２ｃを決定し、決定した圧力検出部１２ｂ又は１２ｃに対応付けられた生体センサ１４ｂ又は１４ｃを選択する。制御部１７は、選択した生体センサ１４ｂ又は１４ｃから得られる生体測定出力に基づいて、生体情報を測定する。
【００４１】
このように、測定装置１０は、複数の被検部位からの接触圧力を検出し、いずれかの接触圧力が許容範囲内に含まれる場合に、許容範囲に含まれる接触圧力を示す圧力検出部１２ｂ又は１２ｃに対応付けられた生体センサ１４ｂ又は１４ｃに基づいて、制御部１７が生体情報を測定する。複数の接触圧力が、全て許容範囲内である場合又は全て許容範囲外である場合には、制御部１７は、生体情報の測定誤差がより小さくなる接触圧力を示す圧力検出部１２ｂ又は１２ｃに対応付けられた生体センサ１４ｂ又は１４ｃに基づいて、制御部１７が生体情報を測定する。そのため、測定装置１０は、１つの生体センサに基づいて生体情報を測定する場合と比較して、精度の高い測定結果を得やすい。また、測定装置１０は、生体センサを複数（本実施の形態では２つ）備えるため、１つの生体センサに基づいて生体情報を測定する場合と比較して、少なくともいずれかの接触圧力が許容範囲内に含まれる可能性を高めることができる。
【００４２】
制御部１７は、さらに複数の温度検出部１３ｂ及び１３ｃからそれぞれ得られる温度に基づいて生体センサ１４を選択できる。被検部位の温度によっては、精度の高い測定結果を出力することが難しくなるため、制御部１７は、上述の接触圧力に加えて、温度検出部１３ｂ及び１３ｃで検出される温度にも基づいて生体センサ１４ｂ又は１４ｃを選択してもよい。
【００４３】
制御部１７は、上述の複数の圧力検出部１２ｂ及び１２ｃからそれぞれ得られる接触圧力及び複数の温度検出部１３ｂ及び１３ｃからそれぞれ得られる温度の双方に基づいて、１つの生体センサ１４ｂ又は１４ｃを選択する。制御部１７が、このようにして選択した生体センサ１４ｂ又は１４ｃから得られる生体測定出力に基づいて生体情報を測定することにより、より精度の高い生体情報が測定結果として測定装置１０から出力されることが期待できる。
【００４４】
ここで、制御部１７による、ドップラーシフトを利用した血流量測定技術について説明する。制御部１７は、血流量を測定する際に、生体の組織内（被検部位）にレーザ光源２１からレーザ光を照射させ、受光部２２により生体の組織内から散乱された散乱光を受光する。そして、制御部１７は、受光された散乱光に関する出力に基づいて血流量を演算する。
【００４５】
生体の組織内において、動いている血球から散乱された散乱光は、血液中の血球の移動速度に比例したドップラー効果による周波数シフト（ドップラーシフト）を受ける。制御部１７は、静止した組織からの散乱光と、動いている血球からの散乱光との光の干渉によって生じるうなり信号（ビート信号ともいう）を検出する。このうなり信号は、強度を時間の関数として表したものである。そして、制御部１７は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１７は、うなり信号のパワースペクトルに周波数をかけて積分することにより血流量を求める。
【００４６】
制御部１７は、選択した生体センサ１４ｂ又は１４ｃから得られる生体測定出力に基づいて測定した生体情報を、表示部１８に表示する。被検者は、表示部１８の表示を確認することにより、血流量を知ることができる。
【００４７】
このとき、制御部１７は、生体情報がいずれの生体センサ１４ｂ又は１４ｃから得られる生体測定出力に基づくものであるか、すなわち、生体情報が接触部１５ｂ及び１５ｃに接触する人差し指（第１の被検部位）及び親指（第２の被検部位）のいずれの生体測定出力に基づくものであるかを、表示してもよい。継続的に生体情報を測定する被検者は、かかる表示を確認することにより、いずれの被検部位からの生体測定出力が選択されやすく、すなわちいずれの被検部位から精度の高い生体測定出力が得やすいかを知ることができる。
【００４８】
制御部１７は、選択した生体センサ１４ｂ又は１４ｃから得られる生体測定出力に基づいて測定した生体情報に加え、選択しなかった生体センサ１４ｃ又は１４ｂから得られる生体測定出力に基づいて生体情報を測定してもよい。制御部１７は、選択した生体センサ１４ｂ又は１４ｃから得られる生体測定出力に基づいて測定した生体情報と共に、選択しなかった生体センサ１４ｃ又は１４ｂから得られる生体測定出力に基づいて測定した生体情報を表示部１８に表示できる。この場合、制御部１７は、選択した生体センサ１４ｂ又は１４ｃを表示してもよい。
【００４９】
表示部１８は、液晶ディスプレイ、有機ＥＬディスプレイ、又は無機ＥＬディスプレイ等の周知のディスプレイにより構成される表示デバイスである。表示部１８は、例えば制御部１７の制御により、測定された生体情報を表示する。
【００５０】
次に、図１の制御部１７が行う処理の一例を、図４に示すフローチャートを参照して説明する。図４に示すフローは、例えば、被検者が、被検部位を接触部１５に接触させるようにして測定装置１０を把持し、測定装置１０に対する操作を行うことによって、測定装置１０が血流量を測定可能な状態となった場合に開始される。図４のフローでは、一例として、制御部１７が、１つの選択した生体センサ１４ｂ又は１４ｃを選択し、選択した生体センサ１４ｂ又は１４ｃから得られる生体測定出力に基づいて測定した生体情報を表示部１８に表示するものとして説明する。
【００５１】
制御部１７は、レーザ光源２１ｂ及び２１ｃからレーザ光を被検部位に照射させ、各生体センサ１４ｂ及び１４ｃから生体測定出力を取得する（ステップＳ１０１）。
【００５２】
制御部１７は、各圧力検出部１２ｂ及び１２ｃが検出した、接触部１５ｂ及び１５ｃにおける接触圧力を取得する（ステップＳ１０２）。
【００５３】
制御部１７は、各温度検出部１３ｂ及び１３ｃが検出した、接触部１５ｂ及び１５ｃにおける温度を取得する（ステップＳ１０３）。
【００５４】
次に、制御部１７は、取得した圧力及び温度に基づいて、１つの生体センサ１４ｂ又は１４ｃを選択する（ステップＳ１０４）。
【００５５】
制御部１７は、ステップＳ１０１で取得した生体測定出力のうち、選択した生体センサ１４ｂ又は１４ｃから得られる生体測定出力に基づいて、生体情報としての血流量を測定する（ステップＳ１０５）。
【００５６】
制御部１７は、ステップＳ１０５で測定した測定結果としての血流量を、表示部１８に表示する（ステップＳ１０６）。
【００５７】
このように、本実施の形態に係る測定装置１０は、複数の生体センサ１４ｂ及び１４ｃから複数の被検部位の生体測定出力を取得する。測定装置１０の制御部１７は、取得された圧力及び温度に基づいて、より高い精度で生体情報を測定可能な１つの生体センサ１４ｂ又は１４ｃを選択し、選択した生体センサ１４ｂ又は１４ｃから得られる生体測定出力に基づいて、生体情報を測定する。そのため、測定装置１０によれば、生体情報の測定精度が向上する。測定装置１０は、接触部１５ｂ又は１５ｃにおいて、接触圧力が許容範囲外となるものが存在する場合であっても、被検者に生体情報を再度測定させることなく、精度の高い生体情報を出力できる。
【００５８】
本発明は、上記実施の形態にのみ限定されるものではなく、幾多の変形または変更が可能である。例えば、各構成部、各ステップ等に含まれる機能等は論理的に矛盾しないように再配置可能であり、複数の構成部やステップ等を１つに組み合わせたり、或いは分割したりすることが可能である。
【００５９】
例えば、図４のフローにおいて、制御部１７は、各生体センサ１４ｂ及び１４ｃから生体測定出力を取得し（ステップＳ１０１）、その後、接触部１５ｂ及び１５ｃの圧力及び温度に基づいて１つの生体センサ１４ｂ又は１４ｃを選択する（ステップＳ１０４）と説明したが、制御部１７の制御は、この順序に限られない。例えば、制御部１７は、まず接触部１５ｂ及び１５ｃの圧力及び温度に基づいて、１つの生体センサ１４ｂ又は１４ｃを選択し、その後、選択した生体センサ１４ｂ又は１４ｃに生体測定出力を取得させてもよい。この場合、制御部１７は、レーザ光を１つのレーザ光源２１ｂ又は２１ｃのみから射出させるため、複数のレーザ光源２１ｂ及び２１ｃからレーザ光を射出する場合と比較して、電力消費を抑えることができる。
【００６０】
上記実施の形態においては、制御部１７が、複数の圧力検出部１２ｂ及び１２ｃからそれぞれ得られる接触圧力及び複数の温度検出部１３ｂ及び１３ｃからそれぞれ得られる温度の双方に基づいて、１つの生体センサ１４ｂ又は１４ｃを選択する場合について説明したが、生体センサの選択は、かかる方法に限られない。例えば、測定装置１０は、制御部１７は、圧力検出部１２ｂ及び１２ｃがそれぞれ検出する接触圧力のみに基づいて、１つの生体センサ１４ｂ又は１４ｃを選択してもよい。この場合、測定装置１０は、温度検出部１３を備える必要がないため、より簡便に構成できる。測定装置１０は、生体情報の測定精度を向上するために生体センサの１つを選択するための情報を検出する、他の検出部を備え、制御部１７はかかる検出部が検出した情報に基づいて、１つの生体センサを選択してもよい。
【００６１】
上記実施の形態においては、測定装置１０が、第１及び第２の測定部１１ｂ及び１１ｃを備える場合について説明したが、測定装置１０が備える測定部の数量は、２つに限られない。測定装置１０は、３つ以上の測定部１１を備えていてもよい。制御部１７は、例えば、複数の測定部１１がそれぞれ備える接触部１５における接触圧力に基づいて、１つの生体センサを選択し、選択した生体センサが取得した生体測定出力に基づいて、生体情報を測定する。測定部１１の数量が多いほど、いずれかの接触部における接触圧力が許容範囲内に含まれる可能性が高くなることが期待される。
【００６２】
上記実施の形態において、測定装置１０は、圧力検出部１２ｂ及び１２ｃがそれぞれ検出する接触圧力の強さに関する情報を被検者に報知してもよい。接触圧力の強さに関する情報は、例えば、接触圧力が許容範囲内であるか否かに関する情報である。接触圧力の強さに関する情報は、例えば、接触圧力が許容範囲よりも強いか又は弱いかに関する情報であってもよい。
【００６３】
測定装置１０は、例えば、画像、文字若しくは発光等による視覚的な方法、音声等の聴覚的な方法、又はそれらの組み合わせにより、接触圧力の強さに関する情報の報知を行うことができる。測定装置１０は、例えば、表示部１８から接触圧力の強さに関する情報の報知を行うことができる。測定装置１０は、例えば、接触圧力の強さに関する情報の報知を行う報知部を別途備え、報知部から報知を行ってもよい。報知部が行う報知は、視覚的又は聴覚的な方法に限られず、ユーザが認識可能な任意の方法であってもよい。測定装置１０が接触圧力の強さに関する情報の報知を行うことにより、被検者は、測定装置１０を把持する際の接触圧力を知ることができ、接触圧力を許容範囲内に調整しやすくなる。
【００６４】
上記実施の形態において、接触部１５ｂ及び１５ｃは、それぞれ側面３０ｂ及び３０ｃに配置されるとして説明したが、接触部１５ｂ及び１５ｃの配置は、これに限られない。接触部１５ｂ及び１５ｃは、例えば、被検者が本体３０を片手で把持したときに被検者の複数の異なる指がそれぞれ接触する位置に分離して配置することができる。
【００６５】
接触部１５ｂ及び１５ｃは、測定装置１０が必ずしも片手で保持されることを想定した位置に配置されていなくてもよく、例えば、被検者が本体３０を両手で把持したときに被検者の複数の異なる指がそれぞれ接触する位置に分離して配置されていてもよい。
【００６６】
図５は、測定装置１０における接触部１５の配置の例を示す図である。接触部１５ｂ及び１５ｃは、例えば、図５（ａ）に示すように、表面３０ａ上において、一方の側面３０ｃの近傍であって本体３０の上方及び下方にそれぞれ配置される。この場合、被検者は、第１の被検部位として、左手の親指の腹を接触部１５ｂに接触させ、第２の被検部位として右手の親指の腹を接触部１５ｃに接触させて、生体情報を測定できる。
【００６７】
他の配置の例では、図５（ｂ）に示すように、接触部１５ｂ及び１５ｃは、表面３０ａ上において、下方の左右の側面３０ｂ及び３０ｃの近傍に、それぞれ配置される。この場合、被検者は、第１の被検部位として、左手の親指の腹を接触部１５ｂに接触させ、第２の被検部位として右手の親指の腹を接触部１５ｃに接触させて、生体情報を測定できる。測定装置１０が、例えばタブレット端末等、片手で把持することが困難な電子機器において実現される場合には、このように両手で測定装置１０を把持させることが有効である。
【００６８】
上記実施の形態においては、制御部１７は、選択した生体センサ１４ｂ又は１４ｃから得られる生体測定出力に基づいて生体情報を測定するとして説明したが、制御部１７が行う生体情報の測定は、この方法に限られない。制御部１７は、例えば、複数の圧力検出部１２ｂ及び１２ｃから得られる圧力並びに複数の温度検出部１３ｂ及び１３ｃから得られる温度により決定される重みづけを行うことにより、複数の生体センサ１４ｂ及び１４ｃから得られる生体測定出力を合成処理する所定のアルゴリズムを用いて、生体情報を測定（算出）してもよい。
【００６９】
さらに、制御部１７は、複数の生体センサ１４ｂ及び１４ｃからそれぞれ得られる生体測定出力に基づいて複数の生体情報を測定すると共に、測定した複数の生体情報を比較した結果を表示部１８に表示してもよい。比較した結果は、例えば、複数の被検部位ごとの血流量の差である。
【００７０】
制御部１７は、複数の生体センサ１４ｂ及び１４ｃからそれぞれ得られる生体測定出力に基づいて複数の生体情報を測定すると共に、測定した複数の生体情報を表示部１８に表示してもよい。このとき、制御部１７は、測定した複数の生体情報のうち、測定精度が高いと判断される生体情報を表示部１８に示してもよい。測定精度が高いと判断される生体情報は、ユーザの生体情報として、より尤もらしいと考えられる生体情報であり、例えば、圧力検出部１２により検出される接触圧力及び温度検出部１３により検出される温度により決定される。制御部１７は、複数の生体情報をそれぞれ測定した生体センサ１４ｂ及び１４ｃに対応付けられた圧力検出部１２ｂ及び１２ｃで検出された接触圧力が、それぞれ許容範囲内に含まれるか否かに関する情報を表示してもよい。
【００７１】
制御部１７は、圧力検出部１２ｂ若しくは１２ｃから得られる圧力又は温度検出部１３ｂ又は１３ｃから得られる温度に基づき、複数の接触部１５のうち、いずれか１つの接触部１５ｂ又は１５ｃのみが接触されていると判断した場合、接触されていると判断した接触部１５ｂ又は１５ｃに対応する生体センサ１４ｂ又は１４ｃからの生体測定出力に基づき、生体情報を測定してもよい。
【００７２】
測定装置１０は、さらに、複数の接触部１５ｂ及び１５ｃのそれぞれの近傍に、接触検知センサを備えていてもよい。接触検知センサは、被検者の被検部位の接触を検知するセンサであり、例えば、タッチセンサ、圧力センサ又は温度センサ等である。制御部１７は、表示部１８に表示されるソフトキー等への被検者からの接触を検出することにより、被検者からの操作入力を受け付けるように構成される場合、各接触検知センサの近傍に位置する接触部１５ｂ及び１５ｃの位置と、接触検知センサからの出力に基づいて、表示部１８に画像を表示する。例えば、図５（ｂ）に示す位置に接触部１５ｂ及び１５ｃが配置されており、被検者が右手の親指で接触部１５ｃを押さえているとする。このとき、接触部１５ｃの近傍に配置された接触検知センサが接触を検知すると、制御部１７は、被検者が測定装置１０を右手で把持していると判断する。そして、制御部１７は、表示部１８に表示されるソフトキーを、右手で操作しやすいように、例えば表示部１８の右側に配置させる。なお、表示部１８の右側とは、例えば、ユーザが測定装置１０を把持した状態における、表示部１８の中心に対して右側のことをいう。同様に、制御部１７は、例えば、接触部１５ｂの近傍に配置された接触検知センサが接触を検知すると、被検者が測定装置１０を左手で把持していると判断し、表示部１８に表示されるソフトキーを、例えば表示部１８の左側に配置させる。なお、表示部１８の左側とは、例えば、ユーザが測定装置１０を把持した状態における、表示部１８の中心に対して左側のことをいう。これにより、被検者は、測定装置１０を使用して生体情報を測定した後、測定装置１０を把持した状態で継続して測定装置１０を使用して他の操作を行う場合、表示部１８に表示されるソフトキーが操作する指の近くに配置されるため、操作を行いやすくなる。なお、圧力検出部１２又は温度検出部１３が、接触検知センサとして機能してもよい。
【００７３】
上記実施の形態においては、測定装置１０の制御部１７が生体情報を測定するものであるとして説明したが、生体情報の測定は、測定装置１０の制御部１７が行う場合に限られない。例えば、測定部１１を備える測定端末が、生体センサ１４が取得した生体測定出力を、測定端末と有線若しくは無線又はこれらの組み合わせからなるネットワークで接続されたサーバ装置に送信する。サーバ装置は、上記実施の形態の制御部１７と同様の制御を行うサーバ制御部を備え、サーバ制御部が生体測定出力に基づいて生体情報を測定する。測定結果は、サーバ装置から測定端末に送信され、例えば測定端末の表示部に表示される。
【符号の説明】
【００７４】
１０  測定装置
１１  測定部
１２  圧力検出部
１３  温度検出部
１４  生体センサ
１５  接触部
１６  記憶部
１７  制御部
１８  表示部
１９  入力部
２０  パネル
２１  レーザ光源
２２  受光部
３０  本体
３０ａ  表面
３０ｂ、３０ｃ  側面
【図１】
0006335673.tif 000002
【図２】
0006335673.tif 000003
【図３】
0006335673.tif 000004
【図４】
0006335673.tif 000005
【図５】
0006335673.tif 000006